(57)【要約】【課題】画像データへの撮影方向の表記及びＸ線照射条件の設定が容易なＸ線画像診断装置及びＸ線撮影方法を提供する。【解決手段】撮影台５ａ上に立位で載置された被検体ＰにＸ線を照射するＸ線発生部１と、Ｘ線発生部１からのＸ線を検出してＸ線投影データを生成するＸ線検出部２と、撮影台５ａに配置された被検体Ｐの撮影方向を検出する第１乃至第４検出器５１ａ，５１ｂ，５１ｃ，５１ｄを有する被検体検出部５１と、Ｘ線検出部２により生成されたＸ線投影データから画像データを生成する画像データ生成部６とを備え、画像データ生成部６で生成した画像データに被検体検出部５１からの被検体Ｐの撮影方向の情報を付帯する。そして、表示部７に画像データと共にこの画像データの付帯情報である撮影方向の情報を表示する。【選択図】図１
2008167976.tif 000002
【特許請求の範囲】
【請求項１】
撮影台上に立位で載置された被検体にＸ線を照射するＸ線発生手段と、
前記被検体を透過したＸ線を検出してＸ線投影データを生成するＸ線検出手段と、
前記撮影台に配置され、前記被検体の撮影方向を検出する被検体検出手段と、
前記Ｘ線検出手段により生成されたＸ線投影データに基づいて画像データを生成し、生成
した画像データに前記被検体検出手段により検出された前記被検体の撮影方向に関する情
報を付帯する画像データ生成手段とを
備えたことを特徴とするＸ線画像診断装置。
【請求項２】
前記画像データ生成手段からの画像データと共にこの画像データに付帯された撮影方向
の情報を表示する表示手段を有することを特徴とする請求項１に記載のＸ線画像診断装置
。
【請求項３】
前記被検体検出手段は、
前記被検体Ｐの後方に前記Ｘ線検出手段が位置する撮影方向であるとき、前記被検体を検
出するための第１検出手段と、
前記被検体Ｐの前方に前記Ｘ線検出手段が位置する撮影方向であるとき、前記被検体を検
出するための第２検出手段と、
前記被検体Ｐの左側方に前記Ｘ線検出手段が位置する撮影方向であるとき、前記被検体を
検出するための第３検出手段と、
前記被検体Ｐの右側方に前記Ｘ線検出手段が位置する撮影方向であるとき、前記被検体を
検出するための第４検出手段とを
有することを特徴とする請求項１に記載のＸ線画像診断装置。
【請求項４】
撮影台上に立位で載置された被検体にＸ線を照射するＸ線発生手段と、
前記被検体を透過したＸ線を検出してＸ線投影データを生成するＸ線検出手段と、
前記被検体の体重を計測する前記撮影台に配置された被検体検出手段と、
前記被検体の撮影部位の情報を入力する入力手段と、
前記Ｘ線検出手段を上下に移動して、前記入力手段により入力された撮影部位の近傍に設
定する移動手段と、
前記移動手段により設定された前記Ｘ線検出手段の位置及び前記入力手段により入力され
た撮影部位の情報から前記被検体の体長を算出し、算出した体長及び前記被検体検出手段
により計測された体重の情報に基づいて前記被検体の体格の情報を作成する体格情報作成
手段と、
前記体格情報作成手段により作成された体格情報に応じてＸ線照射条件を設定するＸ線照
射条件設定手段と、
前記Ｘ線照射条件設定手段により設定されたＸ線照射条件に基づく前記Ｘ線発生手段から
のＸ線照射により、前記Ｘ線検出手段で生成されたＸ線投影データから画像データを生成
する画像データ生成手段とを
備えたことを特徴とするＸ線画像診断装置。
【請求項５】
撮影台上に立位で載置された被検体にＸ線をＸ線発生手段により照射し、
前記被検体を透過したＸ線を検出してＸ線投影データをＸ線検出手段により生成し、
前記撮影台に配置され、前記被検体の撮影方向を被検体検出手段により検出し、
前記Ｘ線検出手段により生成されたＸ線投影データに基づいて画像データを生成し、生成
した画像データに前記被検体検出手段により検出された前記被検体の撮影方向に関する情
報を画像データ生成手段により付帯することを特徴とするＸ線撮影方法。
【請求項６】
Ｘ線撮影を行う被検体の撮影部位の情報を入力手段により入力し、
撮影台上に立位で載置された前記被検体の体重を前記撮影台に配置された被検体検出手段
により計測し、
前記被検体にＸ線を照射するＸ線発生手段からのＸ線を検出してＸ線投影データを生成す
るＸ線検出手段を上下に移動して、前記入力手段により入力された撮影部位の近傍に移動
手段により設定し、
前記移動手段により設定された前記Ｘ線検出手段の位置及び前記入力手段により入力され
た撮影部位の情報から前記被検体の体長を算出し、算出した体長及び前記被検体検出手段
により計測された体重の情報に基づいて前記被検体の体格の情報を体格情報作成手段によ
り作成し、
前記体格情報作成手段により作成された体格情報に応じてＸ線照射条件をＸ線照射条件設
定手段により設定し、
前記Ｘ線照射条件設定手段により設定されたＸ線照射条件に基づく前記Ｘ線発生手段から
のＸ線照射により、前記Ｘ線検出手段で生成されたＸ線投影データから画像データを画像
データ生成手段により生成することを特徴とするＸ線画像診断装置。
【発明の詳細な説明】
【技術分野】
【０００１】
本発明は、Ｘ線画像診断装置及びＸ線撮影方法に係り、特に立位式のＸ線画像診断装置
及びＸ線撮影方法に関する。
【背景技術】
【０００２】
Ｘ線画像診断装置は、被検体にＸ線を照射するＸ線発生部と、このＸ線発生部から照射
され被検体を透過したＸ線を検出するＸ線検出部とを備え、Ｘ線検出部で検出したＸ線の
投影データから生成された画像データを用いて診断が行われる。そして、上下移動可能な
Ｘ線検出部を立位の状態の被検体の頭部や胸部等の撮影部位の近傍に設定し、Ｘ線検出部
に対向する位置にＸ線発生部を移動してＸ線撮影を行う装置が知られている（例えば、特
許文献１参照。）。
【０００３】
この立位式のＸ線画像診断装置では、被検体にＸ線を照射した方向（撮影方向）がＸ線
撮影後の画像データから分かるように、Ｘ線検出部のＸ線の検出が可能な縁辺に撮影方向
を記した鉛材料からなる文字板などを貼り付けてＸ線撮影が行われる。被検体の前方から
Ｘ線を照射する場合には例えばＡＰの文字板が貼り付けられ、後方からＸ線を照射する場
合にはＰＡの文字板が貼り付けられる。これにより、表示部に画像データと共にＡＰやＰ
Ａの文字が表示される。
【０００４】
また、被検体の体格に応じてＸ線照射条件がデフォルト値から変更して設定される。被
検体が肥満型である場合には、予めデフォルト時間に設定されているＸ線照射時間をデフ
ォルト値よりも例えば長い時間に変更してからＸ線撮影が行われ、被検体が痩せ型である
場合には、デフォルト値よりも短い時間に変更してからＸ線撮影が行われる。
【特許文献１】特開２０００−２０１９１３号公報
【発明の開示】
【発明が解決しようとする課題】
【０００５】
しかしながら、撮影方向を記した文字板の貼り付け作業はＸ線画像診断装置の操作者に
よって手作業で行われるため、Ｘ線検出部にＡＰの文字板を貼り付けるところを誤って被
検体の後方からＸ線を照射する場合のＰＡの文字板を貼り付けてしまう恐れがある。また
、被検体の体格に応じてＸ線照射条件の変更を操作部から手入力で行うため、デフォルト
値よりも短い時間に設定すべきところを誤って長い時間に設定し、被検体に必要以上のＸ
線量を照射する恐れがある。更に、貼り付け作業や変更設定作業を手作業で行うために検
査に手間が掛かる問題がある。
【０００６】
本発明は、上記問題点を解決するためになされたもので、画像データへの撮影方向の表
記及びＸ線照射条件の設定が容易なＸ線画像診断装置及びＸ線撮影方法を提供することを
目的とする。
【課題を解決するための手段】
【０００７】
上記問題を解決するために、請求項１に記載の本発明のＸ線画像診断装置は、撮影台上
に立位で載置された被検体にＸ線を照射するＸ線発生手段と、前記被検体を透過したＸ線
を検出してＸ線投影データを生成するＸ線検出手段と、前記撮影台に配置され、前記被検
体の撮影方向を検出する被検体検出手段と、前記Ｘ線検出手段により生成されたＸ線投影
データに基づいて画像データを生成し、生成した画像データに前記被検体検出手段により
検出された前記被検体の撮影方向に関する情報を付帯する画像データ生成手段とを備えた
ことを特徴とする。
【０００８】
また、請求項４に記載の本発明のＸ線画像診断装置は、撮影台上に立位で載置された被
検体にＸ線を照射するＸ線発生手段と、前記被検体を透過したＸ線を検出してＸ線投影デ
ータを生成するＸ線検出手段と、前記被検体の体重を計測する前記撮影台に配置された被
検体検出手段と、前記被検体の撮影部位の情報を入力する入力手段と、前記Ｘ線検出手段
を上下に移動して、前記入力手段により入力された撮影部位の近傍に設定する移動手段と
、前記移動手段により設定された前記Ｘ線検出手段の位置及び前記入力手段により入力さ
れた撮影部位の情報から前記被検体の体長を算出し、算出した体長及び前記被検体検出手
段により計測された体重の情報に基づいて前記被検体の体格の情報を作成する体格情報作
成手段と、前記体格情報作成手段により作成された体格情報に応じてＸ線照射条件を設定
するＸ線照射条件設定手段と、前記Ｘ線照射条件設定手段により設定されたＸ線照射条件
に基づく前記Ｘ線発生手段からのＸ線照射により、前記Ｘ線検出手段で生成されたＸ線投
影データから画像データを生成する画像データ生成手段とを備えたことを特徴とする。
【０００９】
更に、請求項５に記載の本発明のＸ線撮影方法は、撮影台上に立位で載置された被検体
にＸ線をＸ線発生手段により照射し、前記被検体を透過したＸ線を検出してＸ線投影デー
タをＸ線検出手段により生成し、前記撮影台に配置され、前記被検体の撮影方向を被検体
検出手段により検出し、前記Ｘ線検出手段により生成されたＸ線投影データに基づいて画
像データを生成し、生成した画像データに前記被検体検出手段により検出された前記被検
体の撮影方向に関する情報を画像データ生成手段により付帯することを特徴とする。
【００１０】
更にまた、請求項６に記載の本発明のＸ線撮影方法は、Ｘ線撮影を行う被検体の撮影部
位の情報を入力手段により入力し、撮影台上に立位で載置された前記被検体の体重を前記
撮影台に配置された被検体検出手段により計測し、前記被検体にＸ線を照射するＸ線発生
手段からのＸ線を検出してＸ線投影データを生成するＸ線検出手段を上下に移動して、前
記入力手段により入力された撮影部位の近傍に移動手段により設定し、前記移動手段によ
り設定された前記Ｘ線検出手段の位置及び前記入力手段により入力された撮影部位の情報
から前記被検体の体長を算出し、算出した体長及び前記被検体検出手段により計測された
体重の情報に基づいて前記被検体の体格の情報を体格情報作成手段により作成し、前記体
格情報作成手段により作成された体格情報に応じてＸ線照射条件をＸ線照射条件設定手段
により設定し、前記Ｘ線照射条件設定手段により設定されたＸ線照射条件に基づく前記Ｘ
線発生手段からのＸ線照射により、前記Ｘ線検出手段で生成されたＸ線投影データから画
像データを画像データ生成手段により生成することを特徴とする。
【発明の効果】
【００１１】
本発明によれば、撮影台上に被検体Ｐを立位で撮影方向に載置し、Ｘ線検出部を被検体
の撮影部位に設定することにより、被検体Ｐの体格に応じたＸ線照射条件でＸ線撮影を行
うことができる。また、画像データと共に撮影方向の情報を保存及び表示することができ
る。これにより、検査の時間を短縮し、検査を安全に行うことができる。
【発明を実施するための最良の形態】
【００１２】
本発明の実施例を説明する。
【実施例】
【００１３】
以下、本発明によるＸ線画像診断装置の実施例を、図１乃至図７を参照して説明する。
【００１４】
図１は、本発明の実施例に係るＸ線画像診断装置の構成を示したブロック図である。こ
のＸ線画像診断装置１０は、被検体ＰにＸ線を照射するＸ線発生部１と、このＸ線発生部
１から照射され、被検体Ｐを透過したＸ線を二次元的に検出してＸ線投影データを生成す
るＸ線検出部２と、Ｘ線発生部１を支持する第１アーム３１ａ及びＸ線検出部２を支持す
る第２アーム３２ａと、第１及び第２アーム３１ａ，３２ａを夫々駆動する機構部３と、
Ｘ線発生部１におけるＸ線照射に必要な高電圧を発生する高電圧発生部４とを備えている
。
【００１５】
また、Ｘ線撮影が行われるときに被検体Ｐが立位で載置される撮影台５ａと、撮影台５
ａ上に載置された被検体Ｐの撮影方向の検出や体格情報を作成する被検体情報収集部５と
、Ｘ線検出部２で生成されたＸ線投影データから画像データの生成及び生成した画像デー
タの保存を行なう画像データ生成部６と、画像データ生成部６で生成及び保存された画像
データを表示する表示部７と、被検体ＰのＩＤ、氏名、年齢等の被検体情報、撮影部位、
検査時刻、第１アーム３１ａの位置、第２アーム３２ａの位置、Ｘ線照射条件等を含む撮
影条件の設定、表示に関する諸条件の設定や選択、種々のコマンドの入力等を行う操作部
８と、上述したこれらのユニットを統括して制御するシステム制御部９とを備えている。
【００１６】
Ｘ線発生部１は、陰極（フィラメント）から放出された電子を高電圧により加速し、陽
極に衝突させてＸ線を発生するＸ線管１１と、Ｘ線管１１と被検体Ｐの間に位置し、Ｘ線
管１１から発して被検体Ｐに照射するＸ線の照射範囲を制御するＸ線絞り器１２とを備え
ている。
【００１７】
Ｘ線検出部２では、被検体Ｐを透過したＸ線を検出し、検出したＸ線を電荷に変換して
そのエネルギーに比例した電気信号を発生する。そして、電荷に変換する方法には、ａ−
Ｓｅ等の変換層にてＸ線を直接的に電荷に変換する直接変換方式と、ヨウ化セシウム等の
シンチレータ層を通して一旦光に変換し、更に変換した光をフォトダイオードにより電荷
に変換する間接方式がある。本実施例では、いずれの方式を採用してもよい。ここでは、
直接変換方式を例に説明する。
【００１８】
Ｘ線検出部２は、被検体Ｐを透過したＸ線を電荷に変換して蓄積する平面検出器２１と
、この平面検出器２１に蓄積された電荷を読み出してＸ線投影データを生成する投影デー
タ生成部２２とを備えている。
【００１９】
平面検出器２１は、微小な検出素子を２次元的に配列して構成されており、各々の検出
素子はＸ線を検出し入射Ｘ線量に応じて電荷を生成する光電膜と、この光電膜に発生した
電荷を蓄積する電荷蓄積コンデンサと、この電荷蓄積コンデンサに蓄積された電荷を所定
のタイミングで読み出す薄膜トランジスタとを備えている。
【００２０】
投影データ生成部２２は、平面検出器２１に蓄積された電荷を読み出して電圧に変換す
る電荷・電圧変換器と、この電荷・電圧変換器の出力をデジタル信号に変換するＡ／Ｄ変
換器と、平面検出器２１からライン単位でパラレルに読み出してデジタル変換したＸ線投
影データを時系列信号に変換するパラレル・シリアル変換器とを備えている。
【００２１】
機構部３は、第１アーム３１ａを移動してＸ線発生部１を被検体Ｐの撮影部位の近傍に
設定するための第１アーム移動機構３１と、第２アーム３２ａを移動してＸ線検出部２を
被検体Ｐの撮影部位の近傍に設定するための第２アーム移動機構３２と、システム制御部
９から供給される制御信号に基づいて第１及び第２アーム移動機構３１，３２を制御する
機構制御部３３とを備えている。
【００２２】
図２は、第１及び第２アーム移動機構３１，３２によって駆動される第１及び第２アー
ム３１ａ，３２ａ、及びＸ線発生部１及びＸ線検出部２の移動方向を示した図である。第
１アーム移動機構３１は、図示しない天井に保持されている。また、第２アーム移動機構
３２は、床に垂直に設置された支柱３５内に保持されている。
【００２３】
第１アーム３１ａは、上下方向である矢印Ｌ１方向、支柱３５に対して前後方向である
矢印Ｌ２方向、及びＬ１方向及びＬ２方向に対して垂直方向である矢印Ｌ３方向へ移動可
能に一端部が第１アーム移動機構３１に保持されており、他端部でＸ線発生部１を支持し
ている。また、第２アーム３２ａは、Ｌ１方向に移動可能に一端部が第２アーム移動機構
３２に保持されおり、他端部でＸ線検出部２を支持している。
【００２４】
Ｘ線検出部２は、第２アーム３２ａのＬ１方向への移動により、支柱３５の近傍に配置
された撮影台５ａ上に立位で載置された被検体Ｐの撮影部位の近傍に設定される。また、
Ｘ線発生部１は、第１アーム３１ａのＬ１方向、Ｌ２方向、及びＬ３方向への移動により
、被検体Ｐの撮影部位の近傍に設定される。
【００２５】
図１に戻り、高電圧発生部４は、Ｘ線発生部１のＸ線管１１の陰極から発生する熱電子
を加速するために陽極と陰極の間に印加する高電圧を供給する高電圧発生器４１と、シス
テム制御部９から供給される制御信号に基づいて高電圧発生器４１を制御するＸ線制御器
４２とを備えている。
【００２６】
高電圧発生器４１は、Ｘ線制御器４２からのＸ線照射条件の制御信号に基づいて、Ｘ線
を発生させるための高電圧や加熱電圧をＸ線管１１に供給する。Ｘ線制御器４２は、シス
テム制御部９から供給される撮影条件に含まれるＸ線照射条件である管電圧、管電流、Ｘ
線照射時間等にＸ線管１１を設定する。
【００２７】
被検体情報収集部５は、被検体Ｐの立位における撮影方向の検出や体重の計測を行う被
検体検出部５１と、この被検体検出部５１で計測された被検体Ｐの体重の情報等を用いて
体格情報を作成する体格情報作成部５２とを備えている。そして、検出した撮影方向の情
報や作成した体格情報をシステム制御部９に出力する。
【００２８】
画像データ生成部６は、Ｘ線検出部２よりライン単位で出力されるＸ線投影データから
画像データを生成し、生成した画像データにシステム制御部９から供給される撮影条件及
び撮影方向の情報を付帯する。そして、撮影条件や撮影方向の情報を付帯した画像データ
を表示部７に出力する。
【００２９】
表示部７は、画像データ生成部６から出力された画像データを、この画像データの撮影
方向や撮影条件の付帯情報と合成して表示用データを生成する表示用データ生成回路と、
表示用データに対してＤ／Ａ変換とＴＶフォーマット変換を行なって映像信号を生成する
変換回路と、この映像信号を表示する液晶パネル或いはＣＲＴのモニターとを備えている
。
【００３０】
操作部８は、キーボード、トラックボール、ジョイスティック、マウスなどの入力デバ
イスや表示パネル、更には、各種スイッチ等を備えたインターラクティブなインターフェ
ースであり、撮影条件の設定、各種コマンドの入力等を行う。
【００３１】
システム制御部９は、図示しないＣＰＵと記憶回路を備え、操作部８から供給されるコ
マンド信号、撮影条件などの入力情報を一旦記憶した後、これらの入力情報に基づいてシ
ステム全体の制御を行なう。
【００３２】
また、被検体情報収集部５の被検体検出部５１から出力された撮影方向の情報を画像デ
ータ生成部６に供給する。更に、被検体情報収集部５の体格情報作成部５２から出力され
た体格情報に基づいてＸ線照射条件を設定し、設定したＸ線照射条件の情報を高電圧発生
部４のＸ線制御部４２に供給する。
【００３３】
次に、図１乃至図５を参照して、被検体情報収集部５の構成及び動作の詳細を説明する
。図３は、撮影台５ａを上から見た図であり、被検体情報収集部５の被検体検出部５１の
構成を示している。図４及び図５は、被検体Ｐの体長を算出する例を示す図である。
【００３４】
図３において、被検体検出部５１は、撮影台５ａ上に立位で載置された被検体Ｐの足部
による押圧により、被検体Ｐの撮影方向の検出及び体重の計測を行う例えば圧力センサを
有する第１乃至第４検出器５１ａ，５１ｂ，５１ｃ，５１ｄを備え、各検出器は互いに離
間して撮影台５ａ上に配置されている。そして、各第１乃至第４検出器５１ａ，５１ｂ，
５１ｃ，５１ｄで検出した信号から、各検出器に対応する撮影方向の情報を作成してシス
テム制御部９に出力する。また、各検出器で計測した体重の情報を体格情報作成部５２に
出力する。
【００３５】
第１検出器５１ａは、移動自在に配置された撮影台５ａの例えばＸ線検出部２側に配置
される。そして、被検体Ｐの後方にＸ線検出部２が位置する撮影方向（ＡＰ方向）である
とき、被検体Ｐにより押圧される位置が第１検出器５１ａになるように撮影台５ａが配置
される。
【００３６】
第２検出器５１ｂは、第１検出器５１ａに対向してＸ線発生部１側に配置される。そし
て、被検体Ｐの前方にＸ線検出部２が位置する撮影方向（ＰＡ方向）であるとき、被検体
Ｐにより押圧される位置が第２検出器５１ｂになるように撮影台５ａが配置される。
【００３７】
第３検出器５１ｃは、第１検出器５１ａと第２検出器５１ｂの間に配置される。そして
、被検体Ｐの左側方にＸ線検出部２が位置する撮影方向（ＲＬ方向）であるとき、被検体
Ｐにより押圧される位置が第３検出器５１ｃになるように撮影台５ａが配置される。
【００３８】
第４検出器５１ｄは、第１検出器５１ａと第２検出器５１ｂの間に第３検出器５１ｃに
対向して配置される。そして、被検体Ｐの右側方にＸ線検出部２が位置する撮影方向（Ｌ
Ｒ方向）であるとき、被検体Ｐにより押圧される位置が第４検出器５１ｄになるように撮
影台５ａが配置される。
【００３９】
なお、撮影台５ａに多数の圧力センサを二次元のマトリックス状に配列し、各圧力セン
サから出力される検出信号から被検体Ｐの足の底部の形状を求めて撮影方向を検出するよ
うにしてもよい。また各圧力センサから出力される検出信号から被検体Ｐの体重を計測す
るようにしてもよい。
【００４０】
体格情報作成部５２は、機構部３の第２アーム移動機構３２に配置された第２アーム３
２ａのＬ１方向における位置を検出するエンコーダ等の位置センサを有する。そして、被
検体Ｐの撮影部位の近傍にＸ線検出部２が設定されたとき、第２アーム移動機構３２の位
置センサから出力される第２アーム３２ａの位置情報及びシステム制御部９から供給され
る撮影部位の情報に基づいて、被検体Ｐの体長を算出する。
【００４１】
図４及び図５は、被検体Ｐの体長を算出する例を示した図である。Ｘ線検出部２を被検
体Ｐの撮影部位である例えば胸部の近傍に設定することにより、図４に示すように、第２
アーム移動機構３２の位置センサから出力される第２アーム３２ａの位置情報に基づいて
、床とＸ線検出部２における平面検出器２１の中心の間の距離Ｈ１を求める。
【００４２】
ここで、撮影部位が胸部であるときの平面検出器２１の上端部が例えば被検体Ｐの頚部
の付近に位置し、予め設定された各年齢に対応する頭身情報に基づいて被検体Ｐが例えば
６頭身であると、予め設定された平面検出器２１の中心と上端部の間の距離Ｈ２及び撮影
台５ａの高さＨ３を用いて、被検体Ｐの体長Ｈｐ［＝{（Ｈ１＋Ｈ２−Ｈ３）×６／５}］
を算出することができる。
【００４３】
また、被検体Ｐの撮影部位が例えば頭部であると、平面検出器２１の中心を被検体Ｐの
頭部の中心の近傍の高さに設定することにより、図５に示すように、第２アーム移動機構
３２の位置センサから出力される第２アーム３２ａの位置情報に基づいて、床と平面検出
器２１の中心の間の距離Ｈ４を求める。
【００４４】
ここで、被検体Ｐの頭部の中心と頭頂部の間の距離Ｈ５を６頭身の情報により被検体Ｐ
の体長の１／１２とし、撮影台５ａ上面と被検体Ｐの頭部中心の間の距離Ｈ６（＝Ｈ４−
Ｈ３）に１２／１１を乗ずることにより、被検体Ｐの体長Ｈｐ［＝{（Ｈ４−Ｈ３）×１
２／１１}］を算出することができる。
【００４５】
次に、体格情報作成部５２は、システム制御部９から供給される撮影条件、算出した体
長、及び被検体検出部５１で計測された体重の情報に基づいて体格情報を作成する。ここ
では、年齢が所定の歳以上である被検体Ｐの体格を予め多数の被験者の体長及び体重を統
計的に処理して得られた統計データから例えば３種類（肥満型、中肉型、痩せ型）と、年
齢が所定の歳未満である被検体Ｐの４種類に分類可能な分類データを有している。
【００４６】
そして、撮影条件に含まれる年齢情報から所定の歳以上と所定の歳未満に分類する。次
いで、所定の歳以上の場合、体長及び体重の情報から肥満型、中肉型、痩せ型の何れかに
分類し、分類した体格の情報をシステム制御部９に出力する。
【００４７】
システム制御部９では、体格情報作成部５２から出力された体格情報に基づいて、Ｘ線
照射条件を設定する。そして、撮影条件に含まれる年齢が所定の歳以上で中肉型である場
合、Ｘ線照射条件の例えばＸ線照射時間をデフォルトＴｓに設定する。また、肥満型であ
る場合、Ｘ線照射時間をデフォルトよりも長い時間Ｔ１に設定する。更に、痩せ型である
場合、Ｘ線照射時間をデフォルトよりも短い時間Ｔ２に設定する。更にまた、年齢が所定
の歳未満である場合、Ｘ線照射時間を時間Ｔ２よりも短い時間Ｔ３に設定する。
【００４８】
以下、図１乃至図７を参照して、Ｘ線画像診断装置１０の動作の一例を説明する。  
図６は、Ｘ線画像診断装置１０の動作を示すフローチャートである。被検体Ｐの例えば
胸部をＡＰ方向からＸ線撮影する撮影条件の設定操作が行われると、Ｘ線画像診断装置１
０は動作を開始する（ステップＳ１）。
【００４９】
被検体情報収集部５における被検体検出部５１の第１検出器５１ａが被検体Ｐの足部で
押圧される位置に撮影台５ａが配置される。そして、被検体Ｐが撮影台５ａ上に立位でＡ
Ｐ方向に載置されると、被検体検出部５１は第１検出器５１ａで検出した信号からＡＰ方
向の情報を作成し、作成したＡＰ方向の情報をシステム制御部９に出力する（ステップＳ
２）。また、第１検出器５１ａで計測した被検体Ｐの体重の情報を体格情報作成部５２に
出力する（ステップＳ３）。
【００５０】
被検体Ｐが撮影台５ａ上に載置された後、操作部８からＸ線検出部２の設定操作が行わ
れると、システム制御部９は、機構部３の機構制御部３３に第２アーム３２ａの移動を指
示する。第２アーム移動機構３２は、機構制御部３３の制御信号により、第２アーム３２
ａをホームポジションからＬ１方向に移動してＸ線検出部２を撮影部位の近傍に設定する
（ステップＳ４）。
【００５１】
体格情報作成部５２は、第２アーム移動機構３２の位置センサから出力される第２アー
ム３２ａの位置情報、及びシステム制御部９から供給される撮影条件の情報に基づいて、
被検体Ｐの体長を算出する（ステップＳ５）。
【００５２】
次いで、算出した体長及び被検体検出部５１から出力された体重の情報から被検体Ｐの
体格情報を作成し、作成した体格情報をシステム制御部９に出力する（ステップＳ６）。
【００５３】
システム制御部９は、被検体検出部５１から出力されたＡＰ方向の情報を内部の記憶回
路に保存する。また、体格情報作成部５２から出力された体格情報に基づいて、撮影条件
に含まれるＸ線照射条件をその体格情報に応じた条件に変更設定する（ステップＳ７）。
【００５４】
また、操作部８からＸ線発生部１の設定操作が行われると、システム制御部９は、機構
制御部３３に第１アーム３１ａの移動を指示する。第１アーム移動機構３１は、機構制御
部３３の制御信号により、第１アーム３１ａをホームポジションからＬ１方向、Ｌ２方向
、及びＬ３方向に移動してＸ線発生部１を撮影部位の近傍に設定する。
【００５５】
そして、操作部８からＸ撮影の操作が行われると、システム制御部９は、撮影条件の情
報を高電圧発生部４のＸ線制御器４２及び画像データ生成部６に供給する。また、被検体
Ｐの撮影方向であるＡＰ方向の情報を画像データ生成部６に供給する。
【００５６】
高電圧発生部４の高電圧発生器４１は、システム制御部９からの撮影条件に基づくＸ線
制御器４２からの制御信号により、撮影用の高電圧をＸ線発生部１のＸ線管１１に供給す
る。Ｘ線管１１は、高電圧発生器４１から供給される高電圧に応じたＸ線を被検体Ｐに照
射する。Ｘ線検出部２は、被検体Ｐを透過したＸ線を検出してＸ線投影データを生成し、
生成したＸ線投影データを画像データ生成部６へ出力する。
【００５７】
画像データ生成部６は、Ｘ線検出部２から出力されたＸ線投影データから画像データを
生成し、生成した画像データにシステム制御部９から供給される撮影条件及びＡＰ方向の
情報を付帯して保存すると共に表示部７に表示する（ステップＳ８）。
【００５８】
図７は、表示部７の画面に表示される画像データ及びこの画像データの付帯情報の一例
を示した図である。この画面７１には、被検体Ｐの胸部の画像データ７２、撮影方向であ
る「ＡＰ」と、撮影条件に含まれる例えばＸ線照射条件の管電圧である「１３０ｋＶ」、
管電流である「１００ｍＡ」、及びＸ線照射時間である「０．５７ｓ」が表示されている
。このように、被検体Ｐの撮影方向及びＸ線照射条件を画像データと共に表示部７に表示
することができる。
【００５９】
次に、被検体Ｐの診断又は治療に用いる画像データが得られたとき、操作部８から検査
終了の操作が行われると、システム制御部９は、Ｘ線発生部１、Ｘ線検出部２、機構部３
、高電圧発生部４、被検体情報収集部５、及び画像データ生成部６の各ユニットに動作の
停止を指示する。各ユニットの動作が停止した時点で、Ｘ線画像診断装置１０は、動作を
終了する（図６のステップＳ９）。
【００６０】
検査終了後、画像データ生成部６に保存した画像データ７２、「ＡＰ」、「１３０ｋＶ
」、「１００ｍＡ」、及び「０．５７ｓ」を表示させて医師による診断又は治療が行われ
る。このように、保存した画像データ７２と共に撮影方向及び撮影条件の情報を表示部７
に表示することができる。
【００６１】
以上述べた本発明の実施例によれば、撮影台５ａ上に立位で撮影方向に載置された被検
体Ｐの撮影部位の近傍にＸ線検出部２を設定することにより、被検体Ｐの体重を計測し、
計測した体重の情報及びＸ線検出部２の位置情報に基づいて被検体Ｐの体格情報を作成す
ることができる。また、被検体Ｐの撮影方向の情報を作成することができる。
【００６２】
そして、作成された体格情報に基づいて被検体Ｐの体格に応じたＸ線照射条件に設定し
、設定したＸ線照射条件でＸ線撮影を行うことができる。また、画像データと共に撮影方
向の情報を保存及び表示することができる。これにより、検査の時間を短縮すると共に検
査を安全に行うことができる。
【図面の簡単な説明】
【００６３】
【図１】本発明の実施例に係るＸ線画像診断装置の構成を示すブロック図。
【図２】本発明の実施例に係る第１及び第２アームの動作を示す図。
【図３】本発明の実施例に係る撮影台を上から見た図。
【図４】本発明の実施例に係る被検体の体長を算出する例を示す図。
【図５】本発明の実施例に係る被検体の体長を算出する例を示す図。
【図６】本発明の実施例に係るＸ線画像診断装置の動作を示すフローチャート。
【図７】本発明の実施例に係る表示部の画面に表示される画像データ及び付帯情報の一例を示す図。
【符号の説明】
【００６４】
Ｐ  被検体
１  Ｘ線発生部
２  Ｘ線検出部
３  機構部
４  高電圧発生部
５  被検体情報収集部
５ａ  撮影台
６  画像データ生成部
７  表示部
８  操作部
９  システム制御部
１０  Ｘ線画像診断装置
１１  Ｘ線管
１２  Ｘ線絞り器
２１  平面検出器
２２  投影データ生成部
３１  第１アーム移動機構
３１ａ  第１アーム
３２  第２アーム移動機構
３２ａ  第２アーム
３３  機構制御部
４１  高電圧発生器
４２  Ｘ線制御器
５１  被検体検出部
５２  体格情報作成部
【図１】
2008167976.tif 000003
【図２】
2008167976.tif 000004
【図３】
2008167976.tif 000005
【図４】
2008167976.tif 000006
【図５】
2008167976.tif 000007
【図６】
2008167976.tif 000008
【図７】
2008167976.tif 000009